(57)【要約】【課題】  ユーザが金銭の支払いを行いながら販売者等のサービス提供者に口頭で自己の要求を伝達するという煩わしい動作を防止でき、かつ、ユーザがサービス提供者に提供してもよいと判断した情報のみをサービス提供者に提供でき、また、ユーザから提供された情報にしたがってユーザに提供可能なサービスを自動的に提供することが可能なＰＯＳシステムを提供する。【解決手段】  ユーザデータ登録部２は、ユーザによって設定および登録された情報を、ユーザデータ記録媒体１に記録する。ＰＯＳ端末装置４は、ユーザが購入する商品に対する料金の精算を行う。このとき、ＰＯＳ端末装置４は、ユーザに対する商品の販売情報を記録する。さらに、このとき、ＰＯＳ端末装置４は、ユーザデータ読み取り部３によって取得された情報に応じたサービスをユーザに提供する。【選択図】      図１
2005332305.tif 000002
【特許請求の範囲】
【請求項１】
商品の販売情報を記録するＰＯＳシステムであって、
記録媒体と、
ユーザに関する情報を前記記録媒体に記録する登録部と、
前記ユーザに対する商品の販売情報を記録する際に、前記登録部によって前記記録媒体に記録された情報を該記録媒体から取得する取得部と、
前記取得部によって取得された情報に応じたサービスを前記ユーザに提供するＰＯＳ端末装置と、を含むＰＯＳシステム。
【請求項２】
請求項１に記載のＰＯＳシステムにおいて、
前記記録媒体は、メモリ付きＩＤカード、メモリ付きＩＣカード、または、メモリ付き携帯電話端末装置である、ＰＯＳシステム。
【請求項３】
請求項１に記載のＰＯＳシステムにおいて、
前記記録媒体は、前記登録部および前記取得部と接続可能なサーバ内に保持されている、ＰＯＳシステム。
【請求項４】
請求項１ないし３のいずれか１項に記載のＰＯＳシステムにおいて、
前記登録部は、前記情報として、レシートの要否を示すレシート要否情報を前記記録媒体に記録し、
前記ＰＯＳ端末装置は、前記取得部によって取得されたレシート要否情報がレシート必要である旨を示している際にはレシート発行サービスを行い、前記取得部によって取得されたレシート要否情報がレシート不要である旨を示している際にはレシート未発行サービスを行う、ＰＯＳシステム。
【請求項５】
請求項１ないし３のいずれか１項に記載のＰＯＳシステムにおいて、
前記登録部は、前記情報として、駐車券の要否を示す駐車券要否情報を前記記録媒体に記録し、
前記ＰＯＳ端末装置は、前記取得部によって取得された駐車券要否情報が駐車券必要である旨を示している際には駐車券発行サービスを行い、前記取得部によって取得された駐車券要否情報が駐車券不要である旨を示している際には駐車券未発行サービスを行う、ＰＯＳシステム。
【請求項６】
請求項１ないし３のいずれか１項に記載のＰＯＳシステムにおいて、
前記登録部は、前記情報として、クーポン券の要否を示すクーポン券要否情報を前記記録媒体に記録し、
前記ＰＯＳ端末装置は、前記取得部によって取得されたクーポン券要否情報がクーポン券必要である旨を示している際にはクーポン券発行サービスを行い、前記取得部によって取得されたクーポン券要否情報がクーポン券不要である旨を示している際にはクーポン券未発行サービスを行う、ＰＯＳシステム。
【請求項７】
請求項１ないし３のいずれか１項に記載のＰＯＳシステムにおいて、
前記登録部は、前記情報として、商品情報の要否を示す商品情報要否情報を前記記録媒体に記録し、
前記ＰＯＳ端末装置は、前記取得部によって取得された商品情報要否情報が商品情報必要である旨を示している際には商品情報提供サービスを行い、前記取得部によって取得された商品情報要否情報が商品情報不要である旨を示している際には商品情報未提供サービスを行う、ＰＯＳシステム。
【請求項８】
請求項１ないし３のいずれか１項に記載のＰＯＳシステムにおいて、
前記登録部は、前記情報として、前記ユーザの個人情報とその個人情報の項目とを前記記録媒体に記録し、
前記ＰＯＳ端末装置は、
前記サービス提供部が提供可能なサービスを示すサービス情報と、該提供可能なサービスを提供するのに必要な個人情報の項目と、を関連づけて格納するサービスデータ格納部と、
前記取得部が取得したユーザの個人情報の項目と関連づけられて前記サービスデータ格納部に格納されているサービス情報を選択し、その選択したサービス情報によって示された提供可能なサービスを、前記取得部が取得したユーザの個人情報に基づいて前記ユーザに提供するデータ解析部と、を含むＰＯＳシステム。
【請求項９】
商品の販売情報を記録するＰＯＳシステムが行うサービス提供方法であって、
前記ＰＯＳシステムは、登録部と取得部とＰＯＳ端末装置とを含み、
前記登録部がユーザに関する情報を記録媒体に記録する登録ステップと、
前記ユーザに対する商品の販売情報を記録する際に、前記取得部が前記登録ステップで前記記録媒体に記録された情報を該記録媒体から取得する取得ステップと、
前記ＰＯＳ端末装置が前記取得ステップで取得された情報に応じたサービスを前記ユーザに提供するサービス提供ステップと、を含むサービス提供方法。
【請求項１０】
請求項９に記載のサービス提供方法において、
前記登録ステップは、前記情報として、レシートの要否を示すレシート要否情報を前記記録媒体に記録し、
前記サービス提供ステップは、前記取得ステップで取得されたレシート要否情報がレシート必要である旨を示している際にはレシート発行サービスを行い、前記取得ステップで取得されたレシート要否情報がレシート不要である旨を示している際にはレシート未発行サービスを行う、サービス提供方法。
【請求項１１】
請求項９に記載のサービス提供方法において、
前記登録ステップは、前記情報として、駐車券の要否を示す駐車券要否情報を前記記録媒体に記録し、
前記サービス提供ステップは、前記取得ステップで取得された駐車券要否情報が駐車券必要である旨を示している際には駐車券発行サービスを行い、前記取得ステップで取得された駐車券要否情報が駐車券不要である旨を示している際には駐車券未発行サービスを行う、サービス提供方法。
【請求項１２】
請求項９に記載のサービス提供方法において、
前記登録ステップは、前記情報として、クーポン券の要否を示すクーポン券要否情報を前記記録媒体に記録し、
前記サービス提供ステップは、前記取得ステップで取得されたクーポン券要否情報がクーポン券必要である旨を示している際にはクーポン券発行サービスを行い、前記取得ステップで取得されたクーポン券要否情報がクーポン券不要である旨を示している際にはクーポン券未発行サービスを行う、サービス提供方法。
【請求項１３】
請求項９に記載のサービス提供方法において、
前記登録ステップは、前記情報として、商品情報の要否を示す商品情報要否情報を前記記録媒体に記録し、
前記サービス提供ステップは、前記取得ステップで取得された商品情報要否情報が商品情報必要である旨を示している際には商品情報提供サービスを行い、前記取得ステップで取得された商品情報要否情報が商品情報不要である旨を示している際には商品情報未提供サービスを行う、サービス提供方法。
【請求項１４】
請求項９に記載のサービス提供方法において、
前記ＰＯＳ端末装置は、前記サービス提供部が提供可能なサービスを示すサービス情報と、該提供可能なサービスを提供するのに必要な個人情報の項目と、を関連づけて格納するサービスデータ格納部を含み、
前記登録ステップは、前記情報として、前記ユーザの個人情報とその個人情報の項目とを前記記録媒体に記録し、
前記サービス提供ステップは、前記取得ステップで取得したユーザの個人情報の項目と関連づけられて前記サービスデータ格納部に格納されているサービス情報を選択し、その選択したサービス情報によって示された提供可能なサービスを、前記取得ステップで取得したユーザの個人情報に基づいて前記ユーザに提供する、を含むサービス提供方法。
【発明の詳細な説明】
【技術分野】
【０００１】
本発明は、ＰＯＳシステムおよびサービス提供方法に関する。
【背景技術】
【０００２】
従来、レシートを発行できるＰＯＳ（Point Of Sales）端末装置が知られている。例えば、特許文献１（特開昭６３−１３３２８７号公報）には、サービス券とともにレシートを発行するＰＯＳ端末装置が記載されている。また、特許文献２（特開平２−４４４９４号公報）には、レシートにコマーシャルメッセージを印字できる電子式キャッシュレジスタが記載されている。
【０００３】
しかしながら、レシートを必要としないユーザはレシートをすぐに捨ててしまうため、発行されたレシートは無駄になってしまうという問題があった。この問題を解決することが可能な電子式キャッシュレジスタが特許文献３（特開昭５６−１６６５７８号公報）に記載されている。
【０００４】
特許文献３には、レシートを発行するか否かの設定が可能な電子式キャッシュレジスタが記載されている。なお、特許文献３に記載の電子式キャッシュレジスタは金銭を扱うので、レシートを発行するか否かの設定は、電子式キャッシュレジスタを使用している販売者によって行われる。
【０００５】
また、特許文献４（特開昭６３−３０８６９６号公報）には、駐車券を発行するか否かの設定が可能な商品販売データ処理装置が記載されている。なお、特許文献４に記載の商品販売データ処理装置は金銭を扱うので、駐車券を発行するか否かの設定は、商品販売データ処理装置を使用している商品販売者によって行われる。
【０００６】
また、個人情報を提供したユーザに対して、会員サービスのような特別なサービスを提供するサービス提供者が知られている。
【特許文献１】特開昭６３−１３３２８７号公報
【特許文献２】特開平２−４４４９４号公報
【特許文献３】特開昭５６−１６６５７８号公報
【特許文献４】特開昭６３−３０８６９６号公報
【発明の開示】
【発明が解決しようとする課題】
【０００７】
特許文献３に記載の電子式キャッシュレジスタでは、レシートを発行するか否かの設定が、電子式キャッシュレジスタを使用している販売者によって行われる。このため、ユーザは、金銭の支払いを行いながら、レシートを必要とするか否かという自己の要求を、電子式キャッシュレジスタを使用している商品販売者に口頭で伝えるという煩わしい動作を行う必要があった。
【０００８】
特許文献４に記載の商品販売データ処理装置では、駐車券を発行するか否かの設定が、商品販売データ処理装置を使用している商品販売者によって行われる。このため、ユーザは、金銭の支払いを行いながら、駐車券を必要とするか否かという自己の要求を、商品販売データ処理装置を使用している商品販売者に口頭で伝えるという煩わしい動作を行う必要があった。
【０００９】
また、ユーザは、会員サービスのような特別なサービスを受ける場合、住所、氏名、電話番号、生年月日、場合によってはそれ以上の個人情報を、サービス提供者に提供する必要がある。しかしながら、サービス提供者に提供した個人情報が第３者に漏洩する可能性があるため、ユーザは、重要な個人情報をサービス提供者に提供することに不快感を覚える場面もあった。
【００１０】
本発明の目的は、ユーザが金銭の支払いを行いながら販売者等のサービス提供者に口頭で自己の要求を伝達するという煩わしい動作を防止でき、また、ユーザから提供された情報によって提供可能なサービスを自動的にユーザに提供することが可能なＰＯＳシステムおよびサービス提供方法を提供することである。
【課題を解決するための手段】
【００１１】
上記の目的を達成するため、本発明のＰＯＳシステムは、商品の販売情報を記録するＰＯＳシステムであって、記録媒体と、ユーザに関する情報を前記記録媒体に記録する登録部と、前記ユーザに対する商品の販売情報を記録する際に前記登録部によって前記記録媒体に記録された情報を該記録媒体から取得する取得部と、前記取得部によって取得された情報に応じたサービスを前記ユーザに提供するＰＯＳ端末装置とを含む。
【００１２】
また、本発明のサービス提供方法は、商品の販売情報を記録するＰＯＳシステムが行うサービス提供方法であって、前記ＰＯＳシステムは、登録部と取得部とＰＯＳ端末装置とを含み、前記登録部がユーザに関する情報を記録媒体に記録する登録ステップと、前記ユーザに対する商品の販売情報を記録する際に前記取得部が前記登録ステップで前記記録媒体に記録された情報を該記録媒体から取得する取得ステップと、前記ＰＯＳ端末装置が前記取得ステップで取得された情報に応じたサービスを前記ユーザに提供するサービス提供ステップとを含む。
【００１３】
上記の発明によれば、ユーザに関する情報が、記録媒体を介して、ユーザからＰＯＳシステムに渡される。このため、ユーザが金銭の支払いを行いながらサービス提供者に口頭で自己の要求または情報を伝達するという煩わしい動作を防止できる。
【００１４】
また、記録媒体に記録された情報のみがＰＯＳシステムに渡されるため、ユーザが公開したくない情報（例えば、個人の重要な情報）を記録媒体に記録しなければ、個人の重要な情報をＰＯＳシステムに渡すことを防止できる。さらに、ＰＯＳシステムは、記録媒体を介して取得した情報に応じたサービスをユーザに提供する。このため、ユーザはＰＯＳシステムに渡した情報によって受けられるサービスを確実に受けることが可能となる。
【００１５】
また、上記ＰＯＳシステムにおいて、前記記録媒体は、メモリ付きＩＤカード、メモリ付きＩＣカード、または、メモリ付き携帯電話端末装置であることが望ましい。
【００１６】
上記の発明によれば、ユーザは記録媒体を携帯することが可能となる。このため、登録部と取得部とが離れた場所に設置されていても、記録媒体はユーザに携帯されながらその間を行き来することが可能となる。
【００１７】
また、上記ＰＯＳシステムにおいて、前記記録媒体は、前記登録部および前記取得部と接続可能なサーバ内に保持されていることが望ましい。
【００１８】
上記の発明によれば、サーバが記録媒体を保持することにより、ユーザは記録媒体を持ち歩く必要がなくなる。また、記録媒体に記録した情報をサーバを介して何度も取得することが可能となる。このため、ユーザが記録媒体を使用するたびに新たな記録媒体に情報を記録するという煩わしい動作を防止することが可能になる。
【００１９】
また、上記ＰＯＳシステムにおいて、前記登録部は、前記情報として、レシートの要否を示すレシート要否情報を前記記録媒体に記録し、前記ＰＯＳ端末装置は、前記取得部によって取得されたレシート要否情報がレシート必要である旨を示している際にはレシート発行サービスを行い、前記取得部によって取得されたレシート要否情報がレシート不要である旨を示している際にはレシート未発行サービスを行うことが望ましい。
【００２０】
また、上記サービス提供方法において、前記登録ステップは、前記情報として、レシートの要否を示すレシート要否情報を前記記録媒体に記録し、前記サービス提供ステップは、前記取得ステップで取得されたレシート要否情報がレシート必要である旨を示している際にはレシート発行サービスを行い、前記取得ステップで取得されたレシート要否情報がレシート不要である旨を示している際にはレシート未発行サービスを行うことが望ましい。
【００２１】
上記の発明によれば、ユーザが金銭の支払いを行いながらサービス提供者に口頭でレシートの要否を伝達するという煩わしい動作を防止できる。
【００２２】
また、上記ＰＯＳシステムにおいて、前記登録部は、前記情報として、駐車券の要否を示す駐車券要否情報を前記記録媒体に記録し、前記ＰＯＳ端末装置は、前記取得部によって取得された駐車券要否情報が駐車券必要である旨を示している際には駐車券発行サービスを行い、前記取得部によって取得された駐車券要否情報が駐車券不要である旨を示している際には駐車券未発行サービスを行うことが望ましい。
【００２３】
また、上記サービス提供方法において、前記登録ステップは、前記情報として、駐車券の要否を示す駐車券要否情報を前記記録媒体に記録し、前記サービス提供ステップは、前記取得ステップで取得された駐車券要否情報が駐車券必要である旨を示している際には駐車券発行サービスを行い、前記取得ステップで取得された駐車券要否情報が駐車券不要である旨を示している際には駐車券未発行サービスを行う  ことが望ましい。
【００２４】
上記の発明によれば、ユーザが金銭の支払いを行いながらサービス提供者に口頭で駐車券の要否を伝達するという煩わしい動作を防止できる。
【００２５】
また、上記ＰＯＳシステムにおいて、前記登録部は、前記情報として、クーポン券の要否を示すクーポン券要否情報を前記記録媒体に記録し、前記ＰＯＳ端末装置は、前記取得部によって取得されたクーポン券要否情報がクーポン券必要である旨を示している際にはクーポン券発行サービスを行い、前記取得部によって取得されたクーポン券要否情報がクーポン券不要である旨を示している際にはクーポン券未発行サービスを行うことが望ましい。
【００２６】
また、上記サービス提供方法において、前記登録ステップは、前記情報として、クーポン券の要否を示すクーポン券要否情報を前記記録媒体に記録し、前記サービス提供ステップは、前記取得ステップで取得されたクーポン券要否情報がクーポン券必要である旨を示している際にはクーポン券発行サービスを行い、前記取得ステップで取得されたクーポン券要否情報がクーポン券不要である旨を示している際にはクーポン券未発行サービスを行うことが望ましい。
【００２７】
上記の発明によれば、ユーザが金銭の支払いを行いながらサービス提供者に口頭でクーポン券の要否を伝達するという煩わしい動作を防止できる。
【００２８】
また、上記ＰＯＳシステムにおいて、前記登録部は、前記情報として、商品情報の要否を示す商品情報要否情報を前記記録媒体に記録し、前記ＰＯＳ端末装置は、前記取得部によって取得された商品情報要否情報が商品情報必要である旨を示している際には商品情報提供サービスを行い、前記取得部によって取得された商品情報要否情報が商品情報不要である旨を示している際には商品情報未提供サービスを行うことが望ましい。
【００２９】
また、上記サービス提供方法において、前記登録ステップは、前記情報として、商品情報の要否を示す商品情報要否情報を前記記録媒体に記録し、前記サービス提供ステップは、前記取得ステップで取得された商品情報要否情報が商品情報必要である旨を示している際には商品情報提供サービスを行い、前記取得ステップで取得された商品情報要否情報が商品情報不要である旨を示している際には商品情報未提供サービスを行うことが望ましい。
【００３０】
上記の発明によれば、ユーザが金銭の支払いを行いながらサービス提供者に口頭で商品情報の要否を伝達するという煩わしい動作を防止できる。
【００３１】
また、上記ＰＯＳシステムにおいて、前記登録部は、前記情報として、前記ユーザの個人情報とその個人情報の項目とを前記記録媒体に記録し、前記ＰＯＳ端末装置は、前記サービス提供部が提供可能なサービスを示すサービス情報と、該提供可能なサービスを提供するのに必要な個人情報の項目と、を関連づけて格納するサービスデータ格納部と、前記取得部が取得したユーザの個人情報の項目と関連づけられて前記サービスデータ格納部に格納されているサービス情報を選択し、その選択したサービス情報によって示された提供可能なサービスを、前記取得部が取得したユーザの個人情報に基づいて前記ユーザに提供するデータ解析部と、を含むことが望ましい。
【００３２】
また、上記サービス提供方法において、前記ＰＯＳ端末装置は、前記サービス提供部が提供可能なサービスを示すサービス情報と、該提供可能なサービスを提供するのに必要な個人情報の項目と、を関連づけて格納するサービスデータ格納部を含み、前記登録ステップは、前記情報として、前記ユーザの個人情報とその個人情報の項目とを前記記録媒体に記録し、前記サービス提供ステップは、前記取得ステップで取得したユーザの個人情報の項目と関連づけられて前記サービスデータ格納部に格納されているサービス情報を選択し、その選択したサービス情報によって示された提供可能なサービスを、前記取得ステップで取得したユーザの個人情報に基づいて前記ユーザに提供することが望ましい。
【００３３】
上記の発明によれば、記録媒体に記録されたユーザの個人情報のみがＰＯＳシステムに渡されるので、ユーザが公開したくない重要な個人情報をＰＯＳシステムに渡すことを防止できる。
【００３４】
また、ＰＯＳシステムは、記録媒体を介して取得した個人情報に基づいて、ユーザに提供可能なサービスを決定する。このため、ユーザはＰＯＳシステムに渡した個人情報によって受けられるサービスを確実に受けることが可能となる。
【発明の効果】
【００３５】
本発明によれば、ユーザに関する情報が、記録媒体を介して、ユーザからＰＯＳシステムに渡される。このため、ユーザが金銭の支払いを行いながらサービス提供者に口頭で自己の要求または情報を伝達するという煩わしい動作を防止できる。
【００３６】
また、記録媒体に記録された情報のみがＰＯＳシステムに渡されるため、ユーザが公開したくない情報（例えば、個人の重要な情報）を記録媒体に記録しなければ、個人の重要な情報をＰＯＳシステムに渡すことを防止できる。ＰＯＳシステムは、記録媒体を介して取得した情報に応じたサービスをユーザに提供する。このため、ユーザはＰＯＳシステムに渡した情報によって受けられるサービスを確実に受けることが可能となる。
【発明を実施するための最良の形態】
【００３７】
以下、本発明の実施例を図面を参照して説明する。
【００３８】
図１は、本発明の第１の実施例のＰＯＳシステムを示したブロック図である。図１において、ＰＯＳシステムは、ユーザデータ記録媒体１と、ユーザデータ登録部２と、ユーザデータ読み取り部３と、ＰＯＳ端末装置４とを含む。ＰＯＳ端末装置４は、サービスデータ格納部５と、データ解析部６とを含む。
【００３９】
ユーザデータ記録媒体１は、情報が記録される記録媒体である。ユーザデータ記録媒体１は、例えば、メモリ付きＩＤカード、メモリ付きＩＣカード、または、メモリ付き携帯電話端末装置などの携帯可能な記録媒体であることが好ましい。なお、ユーザデータ記録媒体１は、電子マネー機能を備えてもよい。また、ユーザデータ記録媒体１として、バーコードデータを表すことが可能な記録媒体（例えば、バーコードデータ対応の携帯電話端末装置）が用いられてもよい。
【００４０】
ユーザデータ登録部２は、ユーザによって入力された情報（ユーザに関する情報）をユーザデータ記録媒体１に記録する。ユーザデータ登録部２は、例えば、ユーザによって入力された情報をユーザデータ記録媒体１に記録することが可能なパーソナルコンピュータまたはＰＤＡ（Personal Digital Assistance）であることが好ましい。なお、ユーザデータ登録部２は、ユーザによって入力された情報をユーザデータ記録媒体１に記録することが可能な専用端末装置であってもよい。
【００４１】
本実施例では、ユーザデータ登録部２は、ユーザによって入力されたレシートの要否を示すレシート要否情報と、ユーザによって入力された駐車券の要否を示す駐車券要否情報と、ユーザによって入力されたクーポン券の要否を示すクーポン券要否情報と、ユーザによって入力されたお買い得情報（商品情報）の要否を示すお買い得情報（商品情報）要否情報と、ユーザによって入力されたユーザの個人情報とその個人情報の項目とを含むユーザ情報と、をユーザデータ記録媒体１に記録する。
【００４２】
なお、ユーザデータ登録部２がユーザデータ記録媒体１に記録する情報は、上記に限るものではなく、例えば、レシート要否情報と駐車券要否情報とクーポン券要否情報とお買い得情報要否情報とユーザ情報の中のいずれか１つ、またはいずれか２つ、またはいずれか３つ、またはいずれか４つでよく、また、ユーザによって入力されたニュースおよび／または天気予報の要否を示す要否情報であってもよい。
【００４３】
また、ユーザデータ登録部２は、ユーザデータ登録部２がユーザデータ記録媒体１に記録できる情報を表示する表示部２１を含むことが望ましい。
【００４４】
取得部としてのユーザデータ読み取り部３は、例えば、接触式または非接触式のカードリーダ、または、バーコードリーダなどの入力端末装置である。ユーザデータ読み取り部３は、ユーザデータ記録媒体１に記録された情報（レシート要否情報と駐車券要否情報とクーポン券要否情報とお買い得情報要否情報とユーザ情報）をユーザデータ記録媒体１から読み取る。ユーザデータ読み取り部３は、ＰＯＳ端末装置４と接続し、ユーザデータ記録媒体１から取得した情報をＰＯＳ端末装置４に出力する。
【００４５】
ＰＯＳ端末装置４は、ユーザが購入する商品に対する料金の精算を行う。また、ＰＯＳ端末装置４は、ユーザに対する商品の販売情報を記録する際に、ユーザデータ読み取り部３によって取得された情報に応じたサービスをユーザに提供する。
【００４６】
例えば、ＰＯＳ端末装置４は、ユーザデータ読み取り部３によって取得されたレシート要否情報がレシート必要である旨を示している際には、レシートを発行するレシート発行サービスを行う。また、ＰＯＳ端末装置４は、ユーザデータ読み取り部３によって取得されたレシート要否情報がレシート不要である旨を示している際にはレシートを発行しないレシート未発行サービスを行う。
【００４７】
また、ＰＯＳ端末装置４は、ユーザデータ読み取り部３によって取得された駐車券要否情報が駐車券必要である旨を示している際には駐車券を発行する駐車券発行サービスを行う。また、ＰＯＳ端末装置４は、ユーザデータ読み取り部３によって取得された駐車券要否情報が駐車券不要である旨を示している際には駐車券を発行しない駐車券未発行サービスを行う。
【００４８】
また、ＰＯＳ端末装置４は、ユーザデータ読み取り部３によって取得されたクーポン券要否情報がクーポン券必要である旨を示している際には、クーポン券を発行するクーポン券発行サービスを行う。また、ＰＯＳ端末装置４は、ユーザデータ読み取り部３によって取得されたクーポン券要否情報がクーポン券不要である旨を示している際にはクーポン券を発行しないレシート未発行サービスを行う。
【００４９】
また、ＰＯＳ端末装置４は、ユーザデータ読み取り部３によって取得されたお買い得情報要否情報がお買い得情報必要である旨を示している際にはお買い得情報を提供するお買い得情報提供サービスを行う。また、ＰＯＳ端末装置４は、ユーザデータ読み取り部３によって取得されたお買い得情報要否情報がお買い得情報不要である旨を示している際にはお買い得情報を提供しないお買い得情報未提供サービスを行う。
【００５０】
サービスデータ格納部５は、ＰＯＳ端末装置４が提供可能なサービスを示すサービス情報と、その提供可能なサービスを提供するのに必要となる個人情報の種類を示した項目情報と、を関連づけて格納している。
【００５１】
例えば、ＰＯＳ端末装置４が、ユーザの誕生日（個人情報）を提供してくれたユーザに対して、ユーザの誕生日が近い場合に割引券をプレゼントする誕生日プレゼントサービスを提供する場合、サービスデータ格納部５は、ＰＯＳ端末装置４が提供可能な誕生日プレゼントサービスを示す誕生日プレゼントサービス情報と、誕生日を示した項目情報と、を関連づけて格納する。
【００５２】
また、ＰＯＳ端末装置４が、自宅の住所（個人情報）を提供してくれたユーザの荷物（購入品）の送付先を自動的にユーザの自宅の住所に設定する送付先自動設定サービスを提供する場合、サービスデータ格納部５は、ＰＯＳ端末装置４が提供可能な送付先自動設定サービスを示す送付先自動設定サービス情報と、住所を示した項目情報と、を関連づけて格納する。
【００５３】
また、サービスデータ格納部５は、ユーザに提供可能なサービスデータ、例えば、「お買い得情報（商品情報）」などの広告、ニュースおよび天気予報のデータを格納している。
【００５４】
データ解析部６は、ユーザデータ読み取り部３によって取得された情報に応じたサービスをユーザに提供する。
【００５５】
また、データ解析部６は、データ読み取り部３より送られてきたユーザ情報をサービスデータ格納部５に格納されている情報と照合することによってそのユーザ情報を解析し、その解析結果に基づいて実際にユーザに提供するサービスを決定する。
【００５６】
具体的には、データ解析部６は、ユーザデータ読み取り部３が取得したユーザの個人情報の項目と関連づけられてサービスデータ格納部５に格納されているサービス情報を選択する。データ解析部６は、その選択したサービス情報によって示されたサービスを、ユーザデータ読み取り部３が取得したユーザの個人情報に基づいてユーザに提供する。
【００５７】
例えば、データ解析部６は、ユーザデータ読み取り部３から誕生日を示した項目情報が供給されると、サービスデータ格納部５において、誕生日を示した項目情報と関連づけられて格納されている誕生日プレゼントサービス情報を選択する。データ解析部６は、その選択した誕生日プレゼントサービス情報によって示された誕生日プレゼントサービス（ユーザの誕生日が近い場合に割引券をユーザに提供するサービス）を提供する。
【００５８】
また、データ解析部６は、ユーザデータ読み取り部３から住所を示した項目情報が供給されると、サービスデータ格納部５において、住所を示した項目情報と関連づけられて格納されている送付先自動設定サービス情報を選択する。データ解析部６は、その選択した送付先自動設定サービス情報によって示された送付先自動設定サービス（ユーザの荷物（購入品）の送付先を自動的に自宅の住所に設定するサービス）を提供する。
【００５９】
次に、図１を参照して、動作を説明する。
【００６０】
ユーザデータ登録部２は、ユーザデータ記録媒体１に記録することが可能な情報（項目）を表示する。ユーザは、ユーザデータ登録部２に表示された情報（項目）ごとにその要否を設定する。
【００６１】
例えば、レシートが不要な場合、ユーザはレシート発行が「不要」とユーザデータ登録部２に設定する。また、駐車券が必要な場合、ユーザは駐車券発行が「要」とユーザデータ登録部２に設定する。
【００６２】
また、ユーザは、個人情報のうち公開してもよいと判断した情報をユーザデータ登録部２に登録する。
【００６３】
なお、ユーザデータ登録部２に登録設定される情報は、共通のＰＯＳシステムを使用している全店舗に共通な項目と、業種（例えは、レストラン、コンビニ、スーパー）ごとに異なる項目と、さらに店舗ごとのローカルな項目とを含むことが望ましい。
【００６４】
ユーザデータ登録部２は、ユーザによって設定および登録された情報を、ユーザデータ記録媒体１に記録する。
【００６５】
ユーザは、サービス提供者の店舗で商品を購入する際に、ユーザデータ記録媒体１に記録された情報を、ユーザデータ読み取り部３に読み取らせる。ユーザデータ読み取り部３は、ユーザデータ記録媒体１から読み取った情報をＰＯＳ端末装置４に出力する。
【００６６】
ＰＯＳ端末装置４は、ユーザが購入する商品に対する料金の精算を行う。このとき、ＰＯＳ端末装置４は、ユーザに対する商品の販売情報を記録する。さらに、このとき、ＰＯＳ端末装置４は、ユーザデータ読み取り部３によって取得された情報に応じたサービスをユーザに提供する。
【００６７】
例えば、ＰＯＳ端末装置４のデータ解析部６は、ユーザデータ読み取り部３によって取得されたレシート要否情報がレシート必要である旨を示している際には、レシートを発行するレシート発行サービスを行う。また、データ解析部６は、ユーザデータ読み取り部３によって取得されたレシート要否情報がレシート不要である旨を示している際にはレシートを発行しないレシート未発行サービスを行う。
【００６８】
また、データ解析部６は、ユーザデータ読み取り部３によって取得された駐車券要否情報が駐車券必要である旨を示している際には駐車券を発行する駐車券発行サービスを行う。また、データ解析部６は、ユーザデータ読み取り部３によって取得された駐車券要否情報が駐車券不要である旨を示している際には駐車券を発行しない駐車券未発行サービスを行う。
【００６９】
また、データ解析部６は、ユーザデータ読み取り部３によって取得されたクーポン券要否情報がクーポン券必要である旨を示している際には、クーポン券を発行するクーポン券発行サービスを行う。また、データ解析部６は、ユーザデータ読み取り部３によって取得されたクーポン券要否情報がクーポン券不要である旨を示している際にはクーポン券を発行しないレシート未発行サービスを行う。
【００７０】
また、データ解析部６は、ユーザデータ読み取り部３によって取得されたお買い得情報要否情報がお買い得情報必要である旨を示している際にはお買い得情報を提供するお買い得情報提供サービスを行う。また、データ解析部６は、ユーザデータ読み取り部３によって取得されたお買い得情報要否情報がお買い得情報不要である旨を示している際にはお買い得情報を提供しないお買い得情報未提供サービスを行う。
【００７１】
また、データ解析部６は、データ読み取り部３より送られてきたユーザ情報をサービスデータ格納部５に格納されている情報と照合することによってそのユーザ情報を解析し、その解析結果に基づいて実際にユーザに提供するサービスを決定する。
【００７２】
例えば、データ解析部６は、ユーザデータ読み取り部３から誕生日を示した項目情報が供給されると、サービスデータ格納部５において、誕生日を示した項目情報と関連づけられて格納されている誕生日プレゼントサービス情報を選択する。データ解析部６は、その選択した誕生日プレゼントサービス情報によって示された誕生日プレゼントサービスを提供する。
【００７３】
また、データ解析部６は、ユーザデータ読み取り部３から住所を示した項目情報が供給されると、サービスデータ格納部５において、住所を示した項目情報と関連づけられて格納されている送付先自動設定サービス情報を選択する。データ解析部６は、その選択した送付先自動設定サービス情報によって示された送付先自動設定サービスを提供する。
【００７４】
本実施例によれば、以下のような効果を奏する。
【００７５】
第１の効果は、ユーザ自身が必要とする情報を選択し、サービス提供者がユーザによって選択された情報に応じたサービスをユーザに提供することができる。
【００７６】
今までは、各サービスが不要か必要かをユーザが店員に対して伝える必要があった。また、店側が提供するサービスをユーザが受ける際には、ユーザの望まない個人情報まで提示しなければならない場面が多々あった。
【００７７】
本システムでは、ユーザが必要な情報を選択・指定することにより、ユーザは、本人が開示したくない個人情報の公開を行わずに、開示した情報によって受けられるサービスを受けることが可能となる。
【００７８】
第２の効果は、ユーザによって入力された情報が、記録媒体を介して、ユーザからＰＯＳシステムに渡される。このため、ユーザが金銭の支払いを行いながらサービス提供者に口頭で自己の要求を伝達するという煩わしい動作を防止できる。
【００７９】
また、本実施例によれば、ユーザはユーザデータ記録媒体１を携帯することが可能となる。このため、ユーザデータ登録部２とユーザデータ読み取り部３とが離れた場所に設置されていても、ユーザデータ記録媒体１はユーザに携帯されながらその間を行き来することが可能となる。
【００８０】
次に、本発明の第２の実施例を説明する。
【００８１】
図２は、本発明の第２の実施例のＰＯＳシステムを示したブロック図である。図２において、図１に示したものと同一構成のものには、同一符号を付してある。
【００８２】
本発明の第２の実施例では、メモリなどのユーザデータ記録媒体１は、携帯可能な記録媒体ではなく、インターネット上のサーバ７に保持されている。サーバ７は、ユーザデータ登録部２およびＰＯＳ端末装置４（具体的には通信部８）と通信回線を介して接続可能である。
【００８３】
ユーザデータ登録部２は、ユーザによって入力された情報をサーバ７に送信することによって、その送信した情報をサーバ７内のユーザデータ記録媒体１に記録する。
【００８４】
取得部としての通信部８は、サーバ７に対して、サーバ７内のユーザデータ記録媒体１に記録されている情報を要求する要求情報を送信する。サーバ７は、その要求情報を受け取ると、サーバ７内のユーザデータ記録媒体１に記録されている情報を通信部８に送信する。通信部８は、サーバ７から取得したユーザデータ記録媒体１に記録されている情報をデータ解析部６に供給する。
【００８５】
第２の実施例によれば、上記第１および第２の効果を奏する。また、サーバ７がユーザデータ記録媒体１を保持することにより、ユーザはユーザデータ記録媒体１を持ち歩く必要がなくなる。また、ＰＯＳ端末装置４は、ユーザデータ記録媒体１を記録した情報をサーバ７を介して何度も取得することが可能となる。このため、ユーザがユーザデータ記録媒体１を使用するたびに、新たなユーザデータ記録媒体１に情報を記録するという煩わしい動作を防止することが可能になる。
【００８６】
以上説明した各実施例において、図示した構成は単なる一例であって、本発明はその構成に限定されるものではない。
【図面の簡単な説明】
【００８７】
【図１】本発明の一実施例のＰＯＳシステムを示したブロック図である。
【図２】本発明の他の実施例のＰＯＳシステムを示したブロック図である。
【符号の説明】
【００８８】
１      ユーザデータ記録媒体
２      ユーザデータ登録部
２１    表示部
３      ユーザデータ読み取り部
４      ＰＯＳ端末装置
５      サービスデータ格納部
６      データ解析部
７      サーバ
８      通信部
【図１】
2005332305.tif 000003
【図２】
2005332305.tif 000004